(57)【特許請求の範囲】
【請求項１】
中継依頼局から中継局に画情報の中継依頼を行い、中継局が当該中継局に予め送信先として受信局情報に登録されている受信局に直接前記画情報を送信するとともに、次段の中継局を介して送信する際には、当該次段の中継局に中継依頼要求とともに前記画情報を送信して、順次各段の中継局を介して、前記画情報を各中継局の前記受信局情報に登録されている受信局に送信するファクシミリ通信方式において、
前記中継依頼局は、前記中継局に当該中継局に登録されている前記受信局情報の送信を依頼し、
前記各中継局は、前記受信局情報の送信依頼要求があると、自局に登録されている前記受信局情報を送信するとともに、次段の中継局があるときには、順次次段の中継局に前記受信局情報の送信依頼要求を送信し、
前記中継依頼局は、前記受信局情報の送信依頼要求に応じて前記各中継局の前記受信局情報が送信されてくると、当該受信局情報に同じ受信局の受信局情報が多重登録されているか否かを判別し、当該受信局情報の多重登録の判別結果を所定の出力形態により出力し、
前記中継依頼局は、前記受信局を指定した前記受信局情報の削除要求を前記中継局に行い、
前記各中継局は、前記受信局情報の削除要求があると、自局に登録されている前記受信局情報に当該削除要求のあった受信局の受信局情報が登録されているときには、当該削除要求のあった受信局の受信局情報を削除するとともに、自局に登録されている前記受信局情報に当該削除要求のあった受信局の受信局情報が登録されておらず、次段の中継局があるときには、順次次段の中継局に前記受信局情報の削除要求を送信することを特徴とするファクシミリ通信方式。
【請求項２】
中継依頼局から中継局に画情報の中継依頼を行い、中継局が当該中継局に予め送信先として受信局情報に登録されている受信局に直接前記画情報を送信するとともに、次段の中継局を介して送信する際には、当該次段の中継局に中継依頼要求とともに前記画情報を送信して、順次各段の中継局を介して、前記画情報を各中継局の前記受信局情報に登録されている受信局に送信するファクシミリ通信方式の前記中継依頼局としてのファクシミリ装置において、
前記中継局に当該中継局に登録されている前記受信局情報の送信を依頼する受信局情報送信依頼手段と、
前記受信局情報の送信依頼要求に応じて各中継局の前記受信局情報が送信されてくると、当該受信局情報に同じ受信局の受信局情報が多重登録されているか否かを判別する多重判別手段と、
前記多重判別手段の判別結果を所定の出力形態により出力する出力手段と、
前記中継局に前記受信局を指定した前記受信局情報の削除を依頼する受信局情報削除要求手段と、を備えたことを特徴とするファクシミリ装置。
【請求項３】
中継依頼局から中継局に画情報の中継依頼を行い、中継局が当該中継局に予め送信先として受信局情報に登録されている受信局に直接前記画情報を送信するとともに、次段の中継局を介して送信する際には、当該次段の中継局に中継依頼要求とともに前記画情報を送信して、順次各段の中継局を介して、前記画情報を各中継局の前記受信局情報に登録されている受信局に送信するファクシミリ通信方式の前記中継局としてのファクシミリ装置において、
前記受信局情報の送信依頼要求があると、自局に登録されている前記受信局情報を読み出して送信するとともに、次段の中継局があるときには、当該次段の中継局に、前記受信局情報の送信依頼要求を送信する受信局情報送信手段と、
前記受信局を指定した前記受信局情報の削除要求があると、自局に登録されている前記受信局情報に当該削除要求のあった受信局の受信局情報が登録されているときには、当該削除要求のあった受信局の受信局情報を削除するとともに、自局に登録されている前記受信局情報に当該削除要求のあった受信局の受信局情報が登録されておらず、次段の中継局があるときには、当該次段の中継局に前記受信局情報の削除要求を送信する受信局情報削除手段とを、備えたことを特徴とするファクシミリ装置。
【発明の詳細な説明】
【０００１】
【産業上の利用分野】
本発明は、ファクシミリ通信方式及びファクシミリ装置に関し、詳細には、画情報を中継局のファクシミリ装置を介して中継するファクシミリ通信方式及びファクシミリ装置に関する。
【０００２】
【従来の技術】
近時、ファクシミリ装置や通信網の発達に伴なって、遠隔の複数の相手先に同一の文書（画情報）を送信することが多くなっている。このような複数の遠隔の相手先に同一画情報を送信する場合、いわゆるファクシミリ中継送信を利用して送信することが行なわれる。
【０００３】
このようなファクシミリ通信方式においては、例えば、中継依頼局から中継局に受信局を指定して中継依頼を行なうと、中継局は、中継依頼局から送られてきた画情報を、一旦画像メモリに蓄積した後、所定時期に、画像メモリから読み出して受信局に順次同報送信し、また、さらに、別の中継局の中継が必要なときには、当該別の中継局に中継依頼を行う。そして、別の中継局は、上記中継局と同様に、受信局に画情報を同報送信するとともに、さらに別の中継局の中継が必要なときには、当該別の中継局に中継依頼を行って、画情報を送信する。
【０００４】
この場合、同報送信する受信局を中継依頼する毎に通知していたのでは、ファクシミリ送信の送信操作が面倒であるだけでなく、通信料金が高くなる。
【０００５】
そこで、従来から、このようなファクシミリ中継送信においては、従来から、全ての送信相手先の電話番号等の受信局情報を中継グループ番号により各中継局に予め登録し、中継依頼局が中継グループ番号を指示することにより、中継依頼を受けた中継局が当該中継グループ番号で登録されている全ての受信局に画情報を同報送信する多段中継同報送信方式が採用されている（特開平３−１６０８７１号公報参照）。
【０００６】
このファクシミリ中継送信は、複数の相手先に同報送信する場合だけでなく、送信局と受信局とが異なる通信網に接続されている場合に、当該受信局に接続された所定のファクシミリ装置を中継局として中継送信する場合等にも行なわれる。
【０００７】
このようなファクシミリ中継送信においては、中継依頼局のオペレータが、中継依頼した画情報が確実に受信局に送信されたかどうか、また何時送信されたかを確認できるように、中継局から中継依頼局に、中継結果レポートが送信される。
【０００８】
すなわち、各中継局は、中継依頼を受けた受信局への送信が終了すると、中継依頼局を発呼して、その画情報の中継結果レポート（送信結果レポート）を中継依頼局に返送する。
【０００９】
この中継結果レポートは、受信局の局番と当該受信局への画情報の送信時刻を含んでおり、中継依頼局のオペレータは、この中継結果レポートにより意図する受信局に画情報が送信されたか否かを確認することができる。
【００１０】
【発明が解決しようとする課題】
しかしながら、このような従来のファクシミリ通信方式やファクシミリ装置にあっては、中継結果レポートによりどの受信局に画情報が送信されたかを確認するようになっていたため、意図した受信局に確実に画情報が送信されたか否かを中継結果レポートに記載されている全ての受信局を目視により確認する必要がある。
【００１１】
特に、ファクシミリ多段中継送信において、受信局の数が多く、上記受信局が中継局にグループ登録されるときには、各中継局にグループ登録を依頼する際に、中継局間で同じ受信局を重ねて登録依頼する過ちを行う場合がある。
【００１２】
このような場合に、中継依頼する度に中継依頼局のオペレータが、各中継局に登録されている受信局が多重登録されているか否かを中継結果レポートに記載されている全ての受信局を目視していちいち確認するのは、大変な労力であり、ファクシミリ通信及びファクシミリ装置の利用性が悪いという問題があった。
【００１３】
また、中継局に受信局が多重登録されていることが上記目視により判明したときや送信不要になった受信局が発生したときには、従来、中継依頼局のオペレータが、中継局のオペレータに電話等により多重登録されている受信局や送信不要となった受信局の受信局情報の削除を依頼し、依頼を受けた中継局のオペレータが、中継局のファクシミリ装置の操作表示部をキー操作して、削除指定された受信局の受信局情報を削除している。
【００１４】
そのため、多重登録された受信局や送信不要となった受信局の受信局情報を削除するのに、中継依頼局のオペレータと中継局のオペレータとの間で連絡を取り合い、かつ、中継局のオペレータによる受信局情報の削除操作が必要で、面倒であり、ファクシミリ通信方式及びファクシミリ装置の利用性が悪いという問題があった。
【００１５】
そこで、本発明は、中継依頼局が、各中継局に予め登録されている受信局の受信局情報の送信を要求して、送信されてきた受信局の受信局情報から多重登録を自動判別することにより、多重登録のチェック作業を省き、ファクシミリ通信の利用性を向上させることができるとともに、中継送信の確実性を向上させることのできるファクシミリ通信方式及びファクシミリ装置を提供することを目的としている。
【００１６】
また、本発明は、受信局情報の多重登録されていることが判明したり、送信不要になった受信局が発生すると、中継依頼局から中継局にファクシミリ通信により受信局を指定した受信局情報の削除要求を行うだけで、中継局に登録されている受信局の受信局情報を自動的に削除することにより、指定した受信局の受信局情報を簡単、かつ、容易に削除できるファクシミリ通信方式及びファクシミリ装置を提供することを目的としている。
【００１７】
【課題を解決するための手段】
請求項１記載の発明のファクシミリ通信方式は、
中継依頼局から中継局に画情報の中継依頼を行い、中継局が当該中継局に予め送信先として受信局情報に登録されている受信局に直接前記画情報を送信するとともに、次段の中継局を介して送信する際には、当該次段の中継局に中継依頼要求とともに前記画情報を送信して、順次各段の中継局を介して、前記画情報を各中継局の前記受信局情報に登録されている受信局に送信するファクシミリ通信方式において、
前記中継依頼局は、前記中継局に当該中継局に登録されている前記受信局情報の送信を依頼し、
前記各中継局は、前記受信局情報の送信依頼要求があると、自局に登録されている前記受信局情報を送信するとともに、次段の中継局があるときには、順次次段の中継局に前記受信局情報の送信依頼要求を送信し、
前記中継依頼局は、前記受信局情報の送信依頼要求に応じて前記各中継局の前記受信局情報が送信されてくると、当該受信局情報に同じ受信局の受信局情報が多重登録されているか否かを判別し、当該受信局情報の多重登録の判別結果を所定の出力形態により出力することにより、上記目的を達成している。
【００１９】
また、例えば、請求項１に記載するように、前記中継依頼局は、前記受信局を指定した前記受信局情報の削除要求を前記中継局に行い、前記各中継局は、前記受信局情報の削除要求があると、自局に登録されている前記受信局情報に当該削除要求のあった受信局の受信局情報が登録されているときには、当該削除要求のあった受信局の受信局情報を削除するとともに、自局に登録されている前記受信局情報に当該削除要求のあった受信局の受信局情報が登録されておらず、次段の中継局があるときには、順次次段の中継局に前記受信局情報の削除要求を送信してもよい。
【００２０】
請求項２記載の発明のファクシミリ装置は、中継依頼局から中継局に画情報の中継依頼を行い、中継局が当該中継局に予め送信先として受信局情報に登録されている受信局に直接前記画情報を送信するとともに、次段の中継局を介して送信する際には、当該次段の中継局に中継依頼要求とともに前記画情報を送信して、順次各段の中継局を介して、前記画情報を各中継局の前記受信局情報に登録されている受信局に送信するファクシミリ通信方式の前記中継依頼局としてのファクシミリ装置において、前記中継局に当該中継局に登録されている前記受信局情報の送信を依頼する受信局情報送信依頼手段と、前記受信局情報の送信依頼要求に応じて各中継局の前記受信局情報が送信されてくると、当該受信局情報に同じ受信局の受信局情報が多重登録されているか否かを判別する多重判別手段と、前記多重判別手段の判別結果を所定の出力形態により出力する出力手段と、を備えることにより、上記目的を達成している。
【００２１】
この場合、例えば、前記ファクシミリ装置は、前記中継局に前記受信局を指定した前記受信局情報の削除を依頼する受信局情報削除要求手段を、さらに備えていてもよい。
【００２２】
請求項３記載の発明のファクシミリ装置は、中継依頼局から中継局に画情報の中継依頼を行い、中継局が当該中継局に予め送信先として受信局情報に登録されている受信局に直接前記画情報を送信するとともに、次段の中継局を介して送信する際には、当該次段の中継局に中継依頼要求とともに前記画情報を送信して、順次各段の中継局を介して、前記画情報を各中継局の前記受信局情報に登録されている受信局に送信するファクシミリ通信方式の前記中継局としてのファクシミリ装置において、前記受信局情報の送信依頼要求があると、自局に登録されている前記受信局情報を読み出して送信するとともに、次段の中継局があるときには、当該次段の中継局に、前記受信局情報の送信依頼要求を送信する受信局情報送信手段を備えることにより、上記目的を達成している。
【００２３】
この場合、例えば、前記ファクシミリ装置は、前記受信局を指定した前記受信局情報の削除要求があると、自局に登録されている前記受信局情報に当該削除要求のあった受信局の受信局情報が登録されているときには、当該削除要求のあった受信局の受信局情報を削除するとともに、自局に登録されている前記受信局情報に当該削除要求のあった受信局の受信局情報が登録されておらず、次段の中継局があるときには、当該次段の中継局に前記受信局情報の削除要求を送信する受信局情報削除手段を、さらに備えていてもよい。
【００２４】
【作用】
請求項１記載の発明のファクシミリ通信方式によれば、
中継依頼局から中継局に画情報の中継依頼が行われると、中継局が、中継依頼された画情報を当該中継局に予め送信先として受信局情報に登録されている受信局に直接送信し、また、他の１つ、あるいは、複数の中継局を介して、当該各中継局の受信局情報に登録されている受信局に画情報を送信するが、中継依頼局が、中継局に当該中継局に登録されている受信局情報の送信を依頼すると、最初の中継局は、当該送信依頼要求に応じて、自局に登録されている受信局情報を中継依頼局に送信するとともに、次段の中継局があるときには、次段の中継局に受信局情報の送信依頼要求を送信し、次段の中継局は、同様に、当該送信依頼要求に応じて、自局に登録されている受信局情報を送信するとともに、次段の中継局がさらにあるときには、当該次段の中継局に受信局情報の送信依頼要求を送信する。以降同様にして、順次各中継局が、自局の受信局情報を送信するとともに、次段の中継局に受信局情報の送信依頼要求を送信する。
【００２５】
なお、この場合、最初の中継局以外の他の中継局は、送信依頼要求された受信局情報を直接中継依頼局に送信してもよいし、受信局情報の送信依頼要求を送信してきた中継局を中継局として中継依頼局に中継送信により送信してもよい。
【００２６】
そして、中継依頼局は、受信局情報の送信依頼要求に応じて各中継局の受信局情報が送信されてくると、当該受信局情報に同じ受信局の受信局情報が多重登録されているか否かを判別し、当該受信局情報の多重登録の判別結果を所定の出力形態により出力する。
【００２７】
したがって、中継依頼局のオペレータは、受信局情報の送信依頼要求操作を行うだけで、各中継局に登録した受信局情報が自動的に送信されてきて、多重登録されているかを判別し、その判別結果が出力されるので、各中継局に登録した受信局情報に多重登録があるかどうかを簡単、かつ、容易に確認することができ、ファクシミリ通信の利用性を向上させることができる。
【００２９】
また、例えば、請求項１に記載するように、中継依頼局が、受信局を指定した受信局情報の削除要求を中継局に行い、各中継局が、受信局情報の削除要求があると、自局に登録されている受信局情報に当該削除要求のあった受信局の受信局情報が登録されているときには、当該削除要求のあった受信局の受信局情報を削除するとともに、自局に登録されている受信局情報に当該削除要求のあった受信局の受信局情報が登録されておらず、次段の中継局があるときには、順次次段の中継局に受信局情報の削除要求を送信するようにすると、中継依頼局から受信局を指定した受信局情報の削除要求操作を行うだけで、中継局に登録されている受信局情報のうち指定した受信局の受信局情報を自動的に削除することができ、従来のように、中継依頼局のオペレータがいちいち中継局のオペレータに電話等により受信局を指定した受信局情報の削除を依頼し、中継局のオペレータが指定された受信局の受信局情報の削除操作を行うことなく、簡単、かつ、容易に指定の受信局の受信局情報を削除することができる。
【００３０】
その結果、送信が不要となった受信局や多重登録されている受信局を中継局の受信局情報から簡単、かつ、容易に削除することができ、ファクシミリ通信の利用性を向上させることができる。
【００３１】
請求項２記載の発明のファクシミリ装置によれば、中継依頼局としてのファクシミリ装置から中継局に画情報の中継依頼を行うと、中継局が、中継依頼された画情報を当該中継局に予め送信先として受信局情報に登録されている受信局に直接送信し、また、他の１つ、あるいは、複数の中継局を介して、当該中継局の受信局情報に登録されている受信局に画情報を送信するが、中継依頼局のファクシミリ装置は、その受信局情報送信依頼手段により、中継局に当該中継局に登録されている受信局情報の送信を依頼し、この受信局情報の送信依頼要求に応じて各中継局の受信局情報が送信されてくると、多重判別手段が、当該受信局情報に同じ受信局の受信局情報が多重登録されているか否かを判別する。
【００３２】
そして、多重判別手段の判別結果を、出力手段が、所定の出力形態により出力する。
【００３３】
したがって、中継依頼局のファクシミリ装置のオペレータが受信局情報の送信依頼要求操作を行うと、ファクシミリ装置が、各中継局に受信局情報の送信依頼要求を行って、各中継局から受信局情報が送信されてくると、多重登録されているかを判別し、その判別結果を出力するので、中継依頼局のオペレータは、各中継局に登録した受信局情報に多重登録があるかどうかを簡単、かつ、容易に確認することができ、ファクシミリ装置の利用性を向上させることができる。
【００３４】
この場合、例えば、請求項２に記載するように、ファクシミリ装置が、中継局に受信局を指定した受信局情報の削除を依頼する受信局情報削除要求手段を、さらに備えるようにすると、中継依頼局のファクシミリ装置のオペレータが、従来のように、いちいち中継局のオペレータに電話等により受信局を指定した受信局情報の削除を依頼し、中継局のオペレータが指定された受信局の受信局情報の削除操作を行うことなく、自動的に指定の受信局の受信局情報を削除することができ、送信が不要となった受信局や多重登録されている受信局を中継局の受信局情報から簡単、かつ、容易に削除することができる。その結果、ファクシミリ装置の利用性をより一層向上させることができる。
【００３５】
請求項３記載の発明のファクシミリ装置によれば、中継依頼局から中継局のファクシミリ装置に画情報の中継依頼があると、中継局のファクシミリ装置は、中継依頼された画情報を当該中継局のファクシミリ装置の受信局情報に予め送信先として登録されている受信局に直接送信し、また、他の１つ、あるいは、複数の中継局を介して、当該中継局の受信局情報に登録されている受信局に画情報を送信するが、中継局のファクシミリ装置は、受信局情報の送信依頼要求があると、自局に登録されている受信局情報を読み出して送信するとともに、次段の中継局があるときには、当該次段の中継局に、受信局情報の送信依頼要求を送信する受信局情報送信手段を備えている。
【００３６】
したがって、中継依頼局から最初の中継局のファクシミリ装置に受信局情報の送信依頼要求を行うだけで、当該中継送信に関与する全ての中継局のファクシミリ装置に登録されている受信局情報を中継依頼局に、直接、あるいは、他の中継局を介して、送信することができ、中継依頼局のオペレータは、受信局情報の送信依頼要求操作を行うだけで、各中継局のファクシミリ装置に登録した受信局情報を自動的に受け取ることができる。
【００３７】
その結果、多段中継送信に関与する全ての中継局のファクシミリ装置に登録されている受信局情報に同じ受信局が多重登録されているか否かを簡単、かつ、容易に確認することができ、ファクシミリ通信の利用性を向上させることができる。
【００３８】
この場合、例えば、請求項３に記載するように、ファクシミリ装置が、受信局を指定した受信局情報の削除要求があると、自局に登録されている受信局情報に当該削除要求のあった受信局の受信局情報が登録されているときには、当該削除要求のあった受信局の受信局情報を削除するとともに、自局に登録されている受信局情報に当該削除要求のあった受信局の受信局情報が登録されておらず、次段の中継局があるときには、当該次段の中継局に受信局情報の削除要求を送信する受信局情報削除手段を、さらに備えるようにすると、中継依頼局のファクシミリ装置のオペレータが、従来のように、いちいち中継局のオペレータに電話等により受信局を指定した受信局情報の削除を依頼し、中継局のオペレータが指定された受信局の受信局情報の削除操作を行うことなく、自動的に指定の受信局の受信局情報を削除することができ、送信が不要となった受信局や多重登録されている受信局を中継局の受信局情報から簡単、かつ、容易に削除することができる。その結果、ファクシミリ装置の利用性をより一層向上させることができる。
【００３９】
【実施例】
以下、本発明の好適な実施例を添付図面に基づいて詳細に説明する。
【００４０】
尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００４１】
図１〜図８は、本発明のファクシミリ通信方式及びファクシミリ装置の一実施例を示す図である。
【００４２】
図１は、本発明のファクシミリ通信方式及びファクシミリ装置の一実施例を適用したファクシミリ通信システムのシステム構成図である。
【００４３】
図１において、ファクシミリ通信システム１は、簡単のため、中継依頼局ＴＸ、中継局ＴＭ１、ＴＭ２及び受信局ＲＸ１〜ＲＸ４を備えており、中継依頼局ＴＸから中継局ＴＭ１に中継依頼を行って、中継依頼を受けた中継局ＴＭ１が中継局ＴＭ１に登録されている受信局ＲＸ１〜ＲＸ３に直接同報送信を行うとともに、中継局ＴＭ１が中継局ＴＭ２に中継依頼を行って、中継局ＴＭ２が中継局ＴＭ２に登録されている受信局ＲＸ３、ＲＸ４に同報送信を行うものとする。
【００４４】
なお、図１中、実線は、中継依頼あるいは後述する受信局情報の送信要求の流れを示し、破線は、中継結果レポートあるいは後述する受信局情報の送信の流れを示している。
【００４５】
中継依頼局ＴＸと中継局ＴＭ１、ＴＭ２とは、遠隔の地に設置され、中継局ＴＭ１、ＴＭ２と当該中継局ＴＭ１、ＴＭ２からの送信を受ける各受信局ＲＸ１〜ＲＸ４とは、比較的近くに設置されている。
【００４６】
中継依頼局ＴＸと中継局ＴＭ１、ＴＭ２は、例えば、図２に示すようなファクシミリ装置１０が利用されており、受信局ＲＸ１〜ＲＸ４は、通常のファクシミリ装置が利用されている。
【００４７】
ファクシミリ装置１０は、システム制御部１１、操作表示部１２、スキャナ１３、プロッタ１４、メモリ１５、画像メモリ１６、符号化・復号化部１７、通信制御部１８及び網制御部１９等を備えており、各部は、バス２０により接続されている。
【００４８】
メモリ１５は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等で構成され、ファクシミリ装置１０の処理プログラムやシステムデータが格納されているとともに、この処理プログラムに基づいてファクシミリ装置１０の各部を制御するのに必要な各種データや演算結果等のデータを記憶する。
【００４９】
特に、メモリ１５は、ファクシミリ装置１０が中継依頼局ＴＸであるときには、送信依頼処理に必要な処理プログラムや中継局ＴＭ１、ＴＭ２に予め登録されている受信局ＲＸ１〜ＲＸ４の受信局情報（受信局ＲＸ１〜ＲＸ４の電話番号等）の送信を依頼する受信局情報送信依頼処理プログラム、送信されてきた受信局情報から受信局ＲＸ１〜ＲＸ４の局番（電話番号）が多重登録されているか否かの判別処理を行う多重登録判別処理プログラム及び中継局ＴＭ１、ＴＭ２の記憶している受信局情報の削除を依頼する受信局情報削除依頼処理プログラム等の各種プログラムやこれらの処理プログラムを実行するのに必要な各種データを記憶している。
【００５０】
また、メモリ１５は、ファクシミリ装置１０が中継依頼局ＴＸであるときには、中継局（例えば、中継局ＴＭ１）の電話番号や上記受信局情報送信依頼に応じて各中継局ＴＭ１、ＴＭ２から送信されてきた受信局情報等を記憶する。
【００５１】
さらに、メモリ１５は、ファクシミリ装置１０が中継局ＴＭ１、ＴＭ２であるときには、中継送信する受信局ＲＸ１〜ＲＸ４の局番等の受信局情報を所定のグループ毎、例えば、中継依頼局ＴＸにより送信先として依頼された受信局毎等に記憶するとともに、中継依頼局ＴＸから当該グループを指定して受信局情報の送信依頼があった際に、メモリ１５内に予め登録されている上記受信局ＲＸ１〜ＲＸ４の受信局情報を中継依頼局ＴＸに送信する受信局情報送信処理プログラム及び中継依頼局ＴＸからの削除依頼に応じて上記予め記憶している受信局ＲＸ１〜ＲＸ４の受信局情報のうち削除依頼された受信局ＲＸ１〜ＲＸ４の受信局情報を削除する受信局情報削除処理プログラム等やこれらの処理プログラムを実行するのに必要な各種データを記憶している。
【００５２】
システム制御部１１は、メモリ１５をワークメモリとして利用して、メモリ１５内に格納されているプログラムに従ってファクシミリ装置１０の各部を制御し、中継依頼局ＴＸとしての上記各種処理、あるいは、中継局ＴＭ１、ＴＭ２としての上記各種処理を実行し、特に、上記受信局情報送信依頼処理、受信局情報多重登録判別処理、受信局情報削除依頼処理、あるいは、受信局情報送信処理、受信局情報削除処理等を実行する。
【００５３】
したがって、システム制御部１１は、後述する通信制御部１８及び網制御部１９とともに、ファクシミリ装置１０が中継依頼局ＴＸであるときには、中継局に当該中継局に登録されている受信局情報の送信を依頼する受信局情報送信依頼手段、受信局情報の送信依頼要求に応じて各中継局の受信局情報が送信されてくると、当該受信局情報に同じ受信局の受信局情報が多重登録されているか否かを判別する多重判別手段及び中継局に受信局を指定した受信局情報の削除を依頼する受信局情報削除要求手段として機能し、ファクシミリ装置１０が中継局ＴＭ１、ＴＭ２であるときには、受信局情報の送信依頼要求があると、自局に登録されている前記受信局情報を読み出して送信するとともに、次段の中継局があるときには、当該次段の中継局に、受信局情報の送信依頼要求を送信する受信局情報送信手段及び受信局を指定した受信局情報の削除要求があると、自局に登録されている受信局情報に当該削除要求のあった受信局の受信局情報が登録されているときには、当該削除要求のあった受信局の受信局情報を削除するとともに、自局に登録されている受信局情報に当該削除要求のあった受信局の受信局情報が登録されておらず、次段の中継局があるときには、当該次段の中継局に受信局情報の削除要求を送信する受信局情報削除手段として機能する。
【００５４】
操作表示部１２は、テンキーやスタートキー等の各種操作キーを備えるとともに、ディスプレイ、例えば、ＬＣＤ（Ｌｉｑｕｉｄ  Ｃｒｙｓｔａｌ  Ｄｉｓｐｌａｙ）を備え、上記各操作キーからは、送信操作、中継依頼操作、受信局情報送信依頼操作等の各種命令が入力される。
【００５５】
また、操作表示部１２のディスプレイ（出力手段）は、操作キーから入力された命令内容やファクシミリ装置１０からオペレータに通知する各種情報が表示される。
【００５６】
スキャナ１３は、例えば、ＣＣＤ（Ｃｈａｒｇｅ  Ｃｏｕｐｌｅｄ  Ｄｅｖｉｃｅ）を利用したイメージスキャナが利用されており、スキャナ１３は、原稿を走査して、所定の解像度で読み取って、符号化・復号化部１７あるいはプロッタ１４に出力する。
【００５７】
プロッタ（出力手段）３としては、例えば、サーマル素子を利用したサーマル記録装置等が使用され、プロッタ３は、サーマル記録装置が使用されているときには、感熱記録紙に直接、あるいは、普通記録紙にインクシートを介して間接的に画像を記録する。
【００５８】
画像メモリ１６は、例えば、大容量のＲＡＭ（Ｒａｎｄｏｍ  Ａｃｃｅｓｓ  Ｍｅｍｏｒｙ）あるいはハードディスク装置等で構成され、主に送信用画情報や受信画情報を蓄積する。
【００５９】
特に、ファクシミリ装置１０が中継局ＴＭ１、ＴＭ２であるときには、画像メモリ１６は、中継依頼局ＴＸのファクシミリ装置１０から受信した画情報を蓄積し、画像メモリ１６に蓄積された画情報は、所定時期に読み出されて、指定された受信局ＲＸ１〜ＲＸ４に送信される。
【００６０】
また、ファクシミリ装置１０が中継依頼局ＴＸであるときには、画像メモリ１６は、スキャナ１３で読み取られ、符号化・復号化部１７で符号化された画情報を記憶し、画像メモリ１６に蓄積された画情報は、所定タイミングで読み出されて、指定された中継局、例えば、中継局ＴＭ１に送信される。
【００６１】
符号化・復号化部１７は、画情報の電送時間の短縮化と効率化を図るものであり、送信時には画情報を圧縮（符号化）し、また、受信時には符号化された画情報を原情報に再生（復号化）する。
【００６２】
通信制御部１８は、相手ファクシミリ装置との間でファクシミリ制御信号の交換を行って、通信機能の設定や各種制御情報の交換を行うことにより、ファクシミリ通信手順を実行する。
【００６３】
網制御部１０には、回線Ｌ（例えば、電話回線）が接続され、網制御部１０は、システム制御部１１の制御下で動作して、回線Ｌからの発呼に対して自動着呼し、また、回線Ｌへの自動発呼処理を行う。
【００６４】
次に、作用を説明する。
【００６５】
本実施例のファクシミリ通信方式は、中継依頼局ＴＸから中継局ＴＭ１に受信局情報の送信依頼要求を行うと、中継局ＴＭ１が自己に登録されている受信局の受信局情報を中継依頼局ＴＸに送信するとともに、中継局ＴＭ２に受信局情報の送信依頼要求を行い、中継局ＴＭ２は、中継局ＴＭ１から受信局情報の送信依頼要求があると、自己に登録されている受信局情報を中継依頼局ＴＸに送信する。そして、中継依頼局ＴＸのファクシミリ装置１０は、中継局ＴＭ１、ＴＭ２から受信局情報が送信されてくると、これらの受信局情報に同じ受信局の受信局情報が多重登録されているか否かを判別し、その判別結果を操作表示部１２のディスプレイに表示出力するとともに、判別結果レポートとしてプロッタ１４により記録紙に記録出力する。
【００６６】
また、中継依頼局ＴＸのファクシミリ装置１０から中継局ＴＭ１に多重登録されている受信局の局番の削除要求を行うと、中継局ＴＭ１、ＴＭ２は、メモリ１５に登録されている受信局情報から指定された受信局の局番を削除する。
【００６７】
まず、中継依頼局ＴＸから中継局ＴＭ１への受信局情報の送信依頼処理及び中継局ＴＭ１から中継依頼局ＴＸへの受信局情報の送信処理について、図３及び図４に基づいて、以下説明する。
【００６８】
中継依頼局ＴＸのオペレータは、中継局ＴＭ１に受信局情報の送信依頼要求を行うには、ファクシミリ装置１０の操作表示部１２でキー操作し、受信局情報の送信依頼モードにセットして、中継局ＴＭ１への上記グループを指定した受信局情報の送信依頼要求を行う。
【００６９】
中継依頼局ＴＸのファクシミリ装置１０は、操作表示部１２から受信局情報の送信依頼要求が行われると、図３及び図４に示すように、中継局ＴＭ１に発呼し（ステップＳ１）、中継局ＴＭ１からの応答を待つ。
【００７０】
中継局ＴＭ１のファクシミリ装置１０は、中継依頼局ＴＸから発呼があると、応呼して、図４に示すように、ＣＥＤ信号（被呼端末識別信号）を送信した後、ＮＳＦ信号（非標準機能識別信号）及びＤＩＳ信号（デジタル識別信号）を送信する（ステップＳ２１）。
【００７１】
このとき、中継局ＴＭ１のファクシミリ装置１０は、ＮＳＦ信号に自己に受信局情報の送信機能があることを付加して、中継依頼局ＴＸに送信する。
【００７２】
中継依頼局ＴＸのファクシミリ装置１０は、ＮＳＦ信号を受信すると、ＮＳＦ信号を解析し（ステップＳ２）、中継局ＴＭ１に受信局情報の送信機能があるかどうかチェックする（ステップＳ３）。
【００７３】
中継依頼局ＴＸのファクシミリ装置１０は、ＮＳＦ信号を解析して、中継局ＴＭ１に受信局情報の送信機能があることを確認すると、ＮＳＣ信号に受信局送信要求をセットして、中継局ＴＭ１に送信し（ステップＳ４）、中継局ＴＭ１からＮＳＳ信号が送信されてくるのを待つ（ステップＳ５）。
【００７４】
中継局ＴＭ１のファクシミリ装置１０は、ＮＳＣ信号を受信すると、ＮＳＣ信号を解析して（ステップＳ２２）、ＮＳＣ信号に受信局情報送信要求が入っているかチェックし（ステップＳ２３）、ＮＳＣ信号に受信局情報送信要求があると、ＮＳＳ信号（非標準機能設定信号）に受信局情報を送信する旨を設定して、ＴＣＦ信号（トレーニングチェック）とともに中継依頼局ＴＸに送信する（ステップＳ２４）。
【００７５】
中継依頼局ＴＸのファクシミリ装置１０は、中継局ＴＭ１からＮＳＳ信号が送信されてくると、ＮＳＳ信号を解析して（ステップＳ５）、受信局情報の送信がセットされているかどうかチェックし（ステップＳ６）、受信局情報の送信がセットされているときには、ＣＦＲ信号（受信準備確認信号）を中継局ＴＭ１に送信する（ステップＳ７）。
【００７６】
中継局ＴＭ１のファクシミリ装置１０は、ＣＦＲ信号を受信すると（ステップＳ２５）、ＰＩＸとして受信局情報を中継依頼局ＴＸに送信し（ステップＳ２６）、受信局情報の送信を完了すると、ＥＯＭ信号（メッセージ終了信号）を送信する（ステップＳ２７）。
【００７７】
このとき、中継局ＴＭ１のファクシミリ装置１０は、メモリ６に予め登録されている受信局の電話番号等の受信局情報のうち中継依頼局ＴＸから要求されたグループの受信局情報をメモリ６から読み出して、キャラクタデータに変換し、キャラクタデータとしてＰＩＸにより送信する。
【００７８】
したがって、通常の中継送信で行われるＶ２１による局番情報の送信に比較して、受信局情報の送信時間を大幅に短縮することができ、通信時間の短縮及び通信費の節減を図ることができる。
【００７９】
中継依頼局ＴＸのファクシミリ装置１０は、受信局情報を正常受信して、ＥＯＭ信号（メッセージ終了信号）を受信すると（ステップＳ８、Ｓ９）、図４に示すように、ＭＣＦ信号（メッセージ確認信号）及びＮＳＦ信号、ＤＩＳ信号を送信し（ステップＳ１０、Ｓ１１）、受信した受信局情報を一時メモリ６等に格納する。
【００８０】
中継局ＴＭ１のファクシミリ装置１０は、ＭＣＦ信号、ＮＳＦ信号、ＤＩＳ信号を受信すると、ＮＳＣ信号／ＤＴＣ信号を中継依頼局ＴＸに送信する（ステップＳ３０）。
【００８１】
中継依頼局ＴＸのファクシミリ装置１０は、このＮＳＣ信号／ＤＴＣ信号を受信すると（ステップＳ１２）、ＤＣＮ信号を中継局ＴＭ１に送信し（ステップＳ１３）、回線を切断して、受信局情報の送信依頼処理及び受信局情報の受信処理を終了する。
【００８２】
なお、中継依頼局ＴＸのファクシミリ装置１０は、上記ステップＳ２で、ＮＳＦ信号を解析した結果、ステップＳ３で、相手中継局ＴＭ１に受信局情報の送信機能がないときには、ＤＣＮ信号を送信して（ステップＳ１３）、そのまま処理を終了し、また、ステップＳ６で、受信したＮＳＳ信号を解析した結果、受信局情報の送信がセットされていないときには、ＤＣＮ信号を送信して（ステップＳ１３）、そのまま処理を終了する。
【００８３】
中継局ＴＭ１のファクシミリ装置１０は、ＤＣＮ信号を受信すると（ステップＳ３１）、回線を切断して、受信局情報の送信要求受付処理及び送信処理を終了する。
【００８４】
なお、中継局ＴＭ１のファクシミリ装置１０は、上記ステップＳ２２で、ＮＳＣ信号を解析した結果、ステップＳ２３で、受信局情報送信要求がないときには、通常の受信処理あるいは中継処理を行う（ステップＳ３２）。
【００８５】
そして、中継局ＴＭ１は、上記受信局情報の送信要求受付処理及び送信処理を終了すると、当該送信要求されたグループの受信局情報に中継局ＴＭ２があるかどうかチェックし、中継局ＴＭ２があるときには、当該中継局ＴＭ２に受信局情報の送信要求を行う。
【００８６】
この受信局情報の送信要求を受けた中継局ＴＭ２は、要求されたグループの受信局情報を中継依頼局ＴＸに送信する。
【００８７】
以下、この中継局ＴＭ１と中継局ＴＭ２との間の受信局情報の送信要求処理及び送信要求受付処理と、中継局ＴＭ２と中継依頼局ＴＸとの間の受信局情報の送信処理及び受信処理について、図５から図７に基づいて、以下説明する。
【００８８】
中継局ＴＭ１のファクシミリ装置１０は、中継依頼局ＴＸから受信局情報の送信要求を受けたグループに中継局ＴＭ２が含まれているときには、図５及び図６に示すように、中継局ＴＭ２を発呼し（ステップＴ１）、中継局ＴＭ２の応答を待つ。
【００８９】
中継局ＴＭ２のファクシミリ装置１０は、中継局ＴＭ１から発呼があると、図６に示すように、ＣＥＤ信号を送信した後、ＮＳＦ信号／ＤＩＳ信号を中継局ＴＭ１に送信し（ステップＴ１１）、中継局ＴＭ１からのＮＳＳ信号を待つ。
【００９０】
このとき、中継局ＴＭ２のファクシミリ装置１０は、ＮＳＦ信号に受信局情報送信機能がある旨を付加して送信する。
【００９１】
中継局ＴＭ１のファクシミリ装置１０は、ＣＥＤ信号及びＮＳＦ信号／ＤＩＳ信号を受信すると、ＮＳＦ信号を解析し（ステップＴ２）、受信局情報送信機能があるかチェックする（ステップＴ３）。
【００９２】
ステップＴ３で、中継局ＴＭ２に受信局情報送信機能があるときには、中継局ＴＭ１のファクシミリ装置１０は、中継依頼局ＴＸから要求された受信局情報送信要求をＮＳＳ信号にセットし、中継局ＴＭ２に送信する（ステップＴ４）。
【００９３】
中継局ＴＭ２のファクシミリ装置１０は、ＮＳＳ信号を受信すると、ＮＳＳ信号を解析して（ステップＴ１２）、受信局情報送信要求の有無を認識し、メモリ１５に受信局情報送信有無のデータを格納して（ステップＴ１３）、ＣＦＲ信号を中継局ＴＭ１に送信する（ステップＴ１４）。
【００９４】
いま、受信局情報送信要求が有るので、中継局ＴＭ２のファクシミリ装置１０は、受信局情報送信要求有をメモリ１５にセーブする。
【００９５】
中継局ＴＭ１のファクシミリ装置１０は、ＣＦＲ信号を受信すると（ステップＴ５）、ＤＣＮ信号を中継局ＴＭ２に送信して（ステップＴ６）、中継局ＴＭ２への受信局情報送信要求処理を終了する。
【００９６】
なお、中継局ＴＭ１のファクシミリ装置１０は、上記ステップＴ２で、ＮＳＦ信号を解析して、ステップＴ３で、中継局ＴＭ２に受信局情報送信機能がないと、ＤＣＮ信号を送信して、そのまま受信局情報送信要求を終了する。
【００９７】
中継局ＴＭ２のファクシミリ装置１０は、中継局ＴＭ１からＤＣＮ信号を受信すると、回線を切断して、受信局情報送信受付処理を終了する（ステップＴ１５）。
【００９８】
中継局ＴＭ２のファクシミリ装置１０は、受信局情報送信受付処理が終了すると、図５に示すように、メモリ１５の受信局情報送信有無をチェックして（ステップＴ１６）、受信局情報送信有が設定されていると、受信局情報送信モードに移行して、図５及び図７に示すように、中継依頼局ＴＸに発呼する（ステップＴ１７）。
【００９９】
中継依頼局ＴＸのファクシミリ装置１０は、中継局ＴＭ２から着呼があると、図７に示すように、ＣＥＤ信号を送信した後、ＮＳＦ信号／ＤＩＳ信号を送信する（ステップＲ１）。
【０１００】
このとき、中継依頼局ＴＸのファクシミリ装置１０は、受信局情報受信機能があることをＮＳＦ信号に設定して、送信する。
【０１０１】
中継局ＴＭ２のファクシミリ装置１０は、ＮＳＦ信号を受信すると、ＮＳＦ信号を解析し（ステップＴ１８）、ＮＳＳ信号に受信局情報の送信を設定して、ＴＣＦ信号とともに中継依頼局ＴＸに送信する（ステップＴ１９）。
【０１０２】
中継依頼局ＴＸのファクシミリ装置１０は、ＮＳＳ信号を受信すると、ＮＳＳ信号を解析し（ステップＲ２）、受信局情報の送信が設定されていることを認識して、ＣＦＲ信号を中継局ＴＭ２に送信する（ステップＲ３）。
【０１０３】
中継局ＴＭ２のファクシミリ装置１０は、ＣＦＲ信号を受信すると（ステップＴ２０）、中継局ＴＭ１により要求されたグループの受信局情報をメモリ１５から読み出し、キャラクタデータに変換した後、当該キャラクタデータに変換した受信局情報をＰＩＸに設定して、中継依頼局ＴＸに送信する（ステップＴ２１）。
【０１０４】
中継局ＴＭ２のファクシミリ装置１０は、ＰＩＸの送信が完了すると、ＥＯＰ信号（手順終了信号）を中継依頼局ＴＸに送信する（ステップＴ２２）。
【０１０５】
中継依頼局ＴＸのファクシミリ装置１０は、ＰＩＸを正常受信すると（ステップＲ４）、ＰＩＸから受信局情報を取り出して、メモリ１５に格納し、ＥＯＰ信号を受信すると（ステップＲ５）、ＭＣＦ信号を中継局ＴＭ２に送信する（ステップＲ６）。
【０１０６】
中継局ＴＭ２のファクシミリ装置１０は、ＭＣＦ信号を受信すると（ステップＴ２３）、ＤＣＮ信号を中継依頼局ＴＸに送信し（ステップＴ２４）、回線を切断して、受信局情報の送信処理を終了する。
【０１０７】
中継依頼局ＴＸのファクシミリ装置１０は、ＤＣＮ信号を受信すると（ステップＲ７）、回線を切断して、受信局情報の受信処理を終了する。
【０１０８】
中継依頼局ＴＸのファクシミリ装置１０は、上述のようにして、全ての中継局ＴＭ１、ＴＭ２から受信局情報を受信すると、受信してメモリ１５に記憶した各中継局ＴＭ１、ＴＭ２の受信局情報を比較チェックし、同じ受信局の受信局情報が重なって登録されていないかどうかの多重登録の判別を行う。
【０１０９】
この多重登録の判別処理は、中継依頼局ＴＸのファクシミリ装置１０のシステム制御部１１が、上記中継局ＴＭ１、ＴＭ２毎に受信してメモリ１５に格納した受信局情報を読み出し、中継局ＴＭ１の受信局情報と中継局ＴＭ２の受信局情報を比較して、同じ受信局ＲＸ１〜ＲＸ４の電話番号が登録されているか否かを判別することにより行う。
【０１１０】
図１の場合、受信局ＲＸ３が、中継局ＴＭ１の受信局情報と中継局ＴＭ２の受信局情報に重なって登録されている。
【０１１１】
なお、この場合、中継局ＴＭ１の受信局情報と中継局ＴＭ２の受信局情報を比較するだけでなく、中継局ＴＭ１の受信局情報内及び中継局ＴＭ２の受信局情報内に同じ受信局ＲＸ１〜ＲＸ４の電話番号が多重登録されているか否かについても判別するようにしてもよい。
【０１１２】
中継依頼局ＴＸのファクシミリ装置１０は、このようにして多重登録の判別を行うと、多重登録の判別結果、例えば、多重登録の有無及び多重登録されている受信局の電話番号等の受信局情報をメモリ１５に格納するとともに、操作表示部１２のディスプレイに表示出力する。
【０１１３】
中継依頼局ＴＸのオペレータは、この操作表示部１２のディスプレイの多重登録の判別結果の表示により受信局情報が多重登録されているか否かを容易に確認することができるとともに、多重登録されているときには、多重登録されている受信局を容易に確認することができる。
【０１１４】
その結果、従来のように、中継局ＴＭ１に画情報の中継依頼を行って、その中継結果としての中継結果レポートの全ての受信局の局番を目視することにより多重登録されているかどうかを確認することなく、中継依頼局ＴＸで受信局情報の送信依頼を入力操作するだけで、受信局情報が多重登録されているか否か、多重登録されているときには、どの受信局ＲＸ１〜ＲＸ４が多重登録されているかを簡単、かつ、容易に確認することができ、ファクシミリ通信システム１及びファクシミリ装置１０の利用性を向上させることができるとともに、同じ受信局ＲＸ１〜ＲＸ４に２重に画情報を送信することを防止するができる。
【０１１５】
また、中継依頼局ＴＸのオペレータが、上記操作表示部１２のディスプレイの表示により受信局情報の多重登録の有無を確認した後、操作表示部１２で上記受信局情報の多重登録の判別結果の出力命令をキー操作すると、中継依頼局ＴＸのファクシミリ装置１０は、メモリ１５から受信局情報の多重登録の判別結果のデータを読み出して、プロッタ１４に出力し、プロッタ１４により記録紙に判別結果レポートとして記録出力する。
【０１１６】
したがって、中継依頼局ＴＸのオペレータは、この判別結果レポートにより受信局情報の多重登録の有無や多重登録されている受信局をより一層確実に認識することができる。
【０１１７】
さらに、中継依頼局ＴＸのオペレータは、上記受信局情報の多重登録の判別結果を見て、多重登録されているときには、操作表示部１２のキー操作により多重登録されている受信局の削除命令を入力することができる。
【０１１８】
なお、この場合、オペレータが、削除する受信局ＲＸ１〜ＲＸ４を特定することも可能であり、また、多重登録されている全ての受信局ＲＸ１〜ＲＸ４を指定すると、中継依頼局ＴＸのファクシミリ装置１０が多重登録されている全ての受信局ＲＸ１〜ＲＸ４を自動的に特定して、削除処理を行うようにしてもよい。
【０１１９】
中継依頼局ＴＸのファクシミリ装置１０は、多重登録されている受信局の削除命令が入力されると、図８に示すように、中継局ＴＭ１に多重登録されている受信局の削除要求を行い、削除要求を受けた中継局ＴＭ１は、指定された受信局、例えば、受信局ＲＸ３の受信局情報の削除処理を行う。
【０１２０】
すなわち、中継依頼局ＴＸのファクシミリ装置１０は、多重登録されている受信局の削除命令が入力されると、図８に示すように、中継局ＴＭ１に発呼する（ステップＱ１）。
【０１２１】
中継局ＴＭ１のファクシミリ装置１０は、応呼して、ＣＥＤ信号、ＮＳＦ信号を中継依頼局ＴＸに送信する（ステップＱ１１）。
【０１２２】
このとき、中継局ＴＭ１のファクシミリ装置１０は、受信局情報削除機能（受信局番削除機能）がある旨をＮＳＦ信号に設定して、送信する。
【０１２３】
中継依頼局ＴＸのファクシミリ装置１０は、ＮＳＦ信号を受信すると、ＮＳＦ信号を解析して（ステップＱ２）、中継局ＴＭ１に受信局番削除機能があるかチェックし（ステップＱ３）、受信局番削除機能があるときには、ＮＳＳ信号に受信局番削除要求及び削除する受信局番（削除受信局番）を設定して、中継局ＴＭ１に送信する（ステップＱ４）。
【０１２４】
中継局ＴＭ１のファクシミリ装置１０は、ＮＳＳ信号を受信すると、ＮＳＳ信号を解析して（ステップＱ１２）、受信局番削除要求があるか否かチェックし（ステップＱ１３）、受信局番削除要求があるときには、ＮＳＳ信号に設定されている削除受信局番を取り出して、メモリ１５の受信局情報に該当する受信局番が登録されているかチェックする。中継局ＴＭ１のファクシミリ装置１０は、メモリ１５の受信局情報に削除要求された受信局番が登録されているときには、当該削除要求された受信局番をメモリ１５の受信局情報から削除し（ステップＱ１４）、ＣＦＲ信号を中継依頼局ＴＸに送信する（ステップＱ１５）。
【０１２５】
中継依頼局ＴＸのファクシミリ装置１０は、ＣＦＲ信号を受信すると、ＤＣＮ信号を中継局ＴＭ１に送信力した後（ステップＱ６）、回線を切断して、受信局情報の削除要求処理を終了する。
【０１２６】
中継局ＴＭ１のファクシミリ装置１０は、ＤＣＮ信号を受信すると（ステップＱ１６）、回線の切断を行って、受信局情報の削除処理を終了する。
【０１２７】
上記ステップＱ１３で、受信局情報削除要求がないときには、ステップＱ１５に移行して、ＣＦＲ信号を送信する（ステップＱ１５）。
【０１２８】
また、中継局ＴＭ１は、上記ステップＱ１４で、削除要求された受信局番がメモリ１５の受信局情報に登録されていないときには、中継局ＴＭ２を発呼して、中継依頼局ＴＸからの受信局情報の削除要求を中継局ＴＭ２に送信する。
【０１２９】
中継局ＴＭ１のファクシミリ装置１０は、上記図６に示したシーケンスと同様の通信処理により中継局ＴＭ２に受信局情報の削除要求を行う。
【０１３０】
このとき、中継局ＴＭ１のファクシミリ装置１０は、図６のＮＳＳ信号に受信局情報の削除要求と削除受信局番を設定することにより、受信局情報の削除要求を行う。
【０１３１】
中継局ＴＭ１から削除要求を受けた中継局ＴＭ２のファクシミリ装置１０は、上記中継局ＴＭ１と同様に、中継局ＴＭ１からの削除要求を受け付け、指定された削除受信局番をメモリ１５の受信局情報から削除する。
【０１３２】
なお、中継局ＴＭ１のファクシミリ装置１０は、自己のメモリ１５に削除要求された受信局番がないときのみ、中継局ＴＭ２に中継依頼局ＴＸからの削除要求を中継しているが、これに限るものではなく、中継依頼局ＴＸが中継局ＴＭ１に削除要求を行う際に、中継局ＴＭ２を指定して、受信局情報の削除要求と削除受信局番の設定を行うようにしてもよい。
【０１３３】
この場合、中継局ＴＭ１のファクシミリ装置１０は、受信したＮＳＳ信号を解析して、中継局ＴＭ２が指定されているときには、メモリ１５を検索して削除受信局番の削除処理を行うことなく、処理を終了し、中継局ＴＭ２を発呼して、受け付けた受信局情報の削除要求と削除受信局番の設定を行ったＮＳＳ信号を中継局ＴＭ２に送信する。
【０１３４】
このように、中継依頼局ＴＸのファクシミリ装置１０により受信局情報の削除要求を行うことにより、中継局ＴＭ１あるいは中継局ＴＭ２に登録されている受信局情報のうち多重登録されている受信局、あるいは、送信不要となった受信局の受信局情報を自動的に削除することができ、従来のように、中継依頼局ＴＸのオペレータが中継局ＴＭ１、ＴＭ２のオペレータに、受信局を指定した受信局情報の削除を電話等で依頼して、中継局ＴＭ１、ＴＭ２のオペレータが操作表示部のキー操作により指定された受信局の受信局情報を削除する必要がない。
【０１３５】
その結果、多重登録されている受信局や送信不要となった受信局の受信局情報を簡単、かつ、容易に削除することができ、ファクシミリ通信システム１及びファクシミリ装置１０の利用性を向上させることができる。
【０１３６】
以上、本発明者によってなされた発明を好適な実施例に基づき具体的に説したが、本発明は上記実施例に限定されるものではなく、その要旨を逸脱しない範囲で種々変更可能であることはいうまでもない。
【０１３７】
例えば、上記実施例においては、中継局が中継局ＴＭ１と中継局ＴＭ２の２つの場合について説明したが、これに限るものではなく、中継局が３つ以上の場合にも、同様に適用することができる。
【０１３８】
また、上記実施例においては、中継局が複数の場合について説明したが、これに限るものではなく、中継局が１つで、受信局情報の登録を中継局に依頼する際に間違えて多重登録した場合にも、適用することができる。
【０１３９】
この場合、中継依頼局ＴＸは、１つの中継局から送信されてきた受信局情報の受信局番を順次比較することにより、多重登録の有無を容易に判別することができる。
【０１４０】
さらに、上記実施例においては、中継局ＴＭ１と中継局ＴＭ２との間で多重登録されている場合に、中継局ＴＭ１に中継依頼局ＴＸが多重登録されている受信局番を指定して削除要求を行っているが、これに限るものではなく、例えば、削除する方の中継局ＴＭ１、ＴＭ２を操作表示部１２のキー操作により指定することもでき、また、直接中継局ＴＭ２に削除する受信局番を指定して削除要求を行うようにしてもよい。
【０１４１】
また、上記実施例においては、中継依頼局ＴＸから受信局情報の送信要求を中継局ＴＭ１に行い、中継局ＴＭ１を介して中継局ＴＭ２にも受信局情報の送信要求を行うようにしているが、これに限るものではなく、中継依頼局ＴＸから各中継局ＴＭ１、中継局ＴＭ２に直接受信局情報の送信要求を行うようにしてもよい。
【０１４２】
さらに、上記実施例においては、中継依頼局ＴＸから受信局情報の送信要求を中継局ＴＭ１に行い、中継局ＴＭ１を介して中継局ＴＭ２に受信局情報の送信要求を行って、受信局情報の送信要求を受けた中継局ＴＭ１、ＴＭ２がそれぞれ直接中継依頼局ＴＸに受信局情報の送信を行っているが、これに限るものではなく、後段の中継局（例えば、中継局ＴＭ２）は受信局情報の送信要求を受けた中継局（例えば、中継局ＴＭ１）に、順次受信局情報の送信を行い、最初に中継依頼局ＴＸから受信局情報の送信要求を受けた中継局（例えば、中継局ＴＭ１）が、後段の全ての中継局の受信局情報を中継依頼局ＴＸに送信するようにしてもよい。
【０１４３】
【発明の効果】
請求項１記載の発明のファクシミリ通信方式によれば、
中継依頼局から中継局に画情報の中継依頼が行われると、中継局が、中継依頼された画情報を当該中継局に予め送信先として受信局情報に登録されている受信局に直接送信し、また、他の１つ、あるいは、複数の中継局を介して、当該各中継局の受信局情報に登録されている受信局に画情報を送信するが、中継依頼局が、中継局に当該中継局に登録されている受信局情報の送信を依頼すると、最初の中継局は、当該送信依頼要求に応じて、自局に登録されている受信局情報を中継依頼局に送信するとともに、次段の中継局があるときには、次段の中継局に受信局情報の送信依頼要求を送信し、次段の中継局は、同様に、当該送信依頼要求に応じて、自局に登録されている受信局情報を送信するとともに、次段の中継局がさらにあるときには、当該次段の中継局に受信局情報の送信依頼要求を送信する。以降同様にして、順次各中継局が、自局の受信局情報を送信するとともに、次段の中継局に受信局情報の送信依頼要求を送信する。
【０１４４】
なお、この場合、最初の中継局以外の他の中継局は、送信依頼要求された受信局情報を直接中継依頼局に送信してもよいし、受信局情報の送信依頼要求を送信してきた中継局を中継局として中継依頼局に中継送信により送信してもよい。
【０１４５】
そして、中継依頼局は、受信局情報の送信依頼要求に応じて各中継局の受信局情報が送信されてくると、当該受信局情報に同じ受信局の受信局情報が多重登録されているか否かを判別し、当該受信局情報の多重登録の判別結果を所定の出力形態により出力する。
【０１４６】
したがって、中継依頼局のオペレータは、受信局情報の送信依頼要求操作を行うだけで、各中継局に登録した受信局情報が自動的に送信されてきて、多重登録されているかを判別し、その判別結果が出力されるので、各中継局に登録した受信局情報に多重登録があるかどうかを簡単、かつ、容易に確認することができ、ファクシミリ通信の利用性を向上させることができる。
【０１４７】
この場合、中継依頼局が、受信局情報の多重登録の判別結果を所定のフォーマット形式により記録紙に記録出力するようにすると、より一層簡単、かつ、容易に受信局情報の多重登録の有無を確認することができるとともに、判別結果を記録として残すことができる。
【０１４８】
また、請求項１に記載するように、中継依頼局が、受信局を指定した受信局情報の削除要求を中継局に行い、各中継局が、受信局情報の削除要求があると、自局に登録されている受信局情報に当該削除要求のあった受信局の受信局情報が登録されているときには、当該削除要求のあった受信局の受信局情報を削除するとともに、自局に登録されている受信局情報に当該削除要求のあった受信局の受信局情報が登録されておらず、次段の中継局があるときには、順次次段の中継局に受信局情報の削除要求を送信するようにすると、中継依頼局から受信局を指定した受信局情報の削除要求操作を行うだけで、中継局に登録されている受信局情報のうち指定した受信局の受信局情報を自動的に削除することができ、従来のように、中継依頼局のオペレータがいちいち中継局のオペレータに電話等により受信局を指定した受信局情報の削除を依頼し、中継局のオペレータが指定された受信局の受信局情報の削除操作を行うことなく、簡単、かつ、容易に指定の受信局の受信局情報を削除することができる。
【０１４９】
その結果、送信が不要となった受信局や多重登録されている受信局を中継局の受信局情報から簡単、かつ、容易に削除することができ、ファクシミリ通信の利用性を向上させることができる。
【０１５０】
請求項２記載の発明のファクシミリ装置によれば、中継依頼局としてのファクシミリ装置から中継局に画情報の中継依頼を行うと、中継局が、中継依頼された画情報を当該中継局に予め送信先として受信局情報に登録されている受信局に直接送信し、また、他の１つ、あるいは、複数の中継局を介して、当該中継局の受信局情報に登録されている受信局に画情報を送信するが、中継依頼局のファクシミリ装置は、その受信局情報送信依頼手段により、中継局に当該中継局に登録されている受信局情報の送信を依頼し、この受信局情報の送信依頼要求に応じて各中継局の受信局情報が送信されてくると、多重判別手段が、当該受信局情報に同じ受信局の受信局情報が多重登録されているか否かを判別する。
【０１５１】
そして、多重判別手段の判別結果を、出力手段が、所定の出力形態により出力する。
【０１５２】
したがって、中継依頼局のファクシミリ装置のオペレータが受信局情報の送信依頼要求操作を行うと、ファクシミリ装置が、各中継局に受信局情報の送信依頼要求を行って、各中継局から受信局情報が送信されてくると、多重登録されているかを判別し、その判別結果を出力するので、中継依頼局のオペレータは、各中継局に登録した受信局情報に多重登録があるかどうかを簡単、かつ、容易に確認することができ、ファクシミリ装置の利用性を向上させることができる。
【０１５３】
この場合、請求項２に記載するように、ファクシミリ装置が、中継局に受信局を指定した受信局情報の削除を依頼する受信局情報削除要求手段を、さらに備えるようにすると、中継依頼局のファクシミリ装置のオペレータが、従来のように、いちいち中継局のオペレータに電話等により受信局を指定した受信局情報の削除を依頼し、中継局のオペレータが指定された受信局の受信局情報の削除操作を行うことなく、自動的に指定の受信局の受信局情報を削除することができ、送信が不要となった受信局や多重登録されている受信局を中継局の受信局情報から簡単、かつ、容易に削除することができる。その結果、ファクシミリ装置の利用性をより一層向上させることができる。
【０１５４】
請求項３記載の発明のファクシミリ装置によれば、中継依頼局から中継局のファクシミリ装置に画情報の中継依頼があると、中継局のファクシミリ装置は、中継依頼された画情報を当該中継局のファクシミリ装置の受信局情報に予め送信先として登録されている受信局に直接送信し、また、他の１つ、あるいは、複数の中継局を介して、当該中継局の受信局情報に登録されている受信局に画情報を送信するが、中継局のファクシミリ装置は、受信局情報の送信依頼要求があると、自局に登録されている受信局情報を読み出して送信するとともに、次段の中継局があるときには、当該次段の中継局に、受信局情報の送信依頼要求を送信する受信局情報送信手段を備えている。
【０１５５】
したがって、中継依頼局から最初の中継局のファクシミリ装置に受信局情報の送信依頼要求を行うだけで、当該中継送信に関与する全ての中継局のファクシミリ装置に登録されている受信局情報を中継依頼局に、直接、あるいは、他の中継局を介して、送信することができ、中継依頼局のオペレータは、受信局情報の送信依頼要求操作を行うだけで、各中継局のファクシミリ装置に登録した受信局情報を自動的に受け取ることができる。
【０１５６】
その結果、多段中継送信に関与する全ての中継局のファクシミリ装置に登録されている受信局情報に同じ受信局が多重登録されているか否かを簡単、かつ、容易に確認することができ、ファクシミリ通信の利用性を向上させることができる。
【０１５７】
この場合、請求項３に記載するように、ファクシミリ装置が、受信局を指定した受信局情報の削除要求があると、自局に登録されている受信局情報に当該削除要求のあった受信局の受信局情報が登録されているときには、当該削除要求のあった受信局の受信局情報を削除するとともに、自局に登録されている受信局情報に当該削除要求のあった受信局の受信局情報が登録されておらず、次段の中継局があるときには、当該次段の中継局に受信局情報の削除要求を送信する受信局情報削除手段を、さらに備えるようにすると、中継依頼局のファクシミリ装置のオペレータが、従来のように、いちいち中継局のオペレータに電話等により受信局を指定した受信局情報の削除を依頼し、中継局のオペレータが指定された受信局の受信局情報の削除操作を行うことなく、自動的に指定の受信局の受信局情報を削除することができ、送信が不要となった受信局や多重登録されている受信局を中継局の受信局情報から簡単、かつ、容易に削除することができる。その結果、ファクシミリ装置の利用性をより一層向上させることができる。
【図面の簡単な説明】
【図１】本発明のファクシミリ通信方式及びファクシミリ装置の一実施例を適用したファクシミリ通信システムのブロック構成図。
【図２】図１の中継依頼局及び中継局に適用されるファクシミリ装置の一例の回路ブロック図。
【図３】図１のファクシミリ通信システムの中継依頼局と中継局との間の受信局情報の送信要求処理及び送信処理を示すフローチャート。
【図４】図３の受信局情報の送信要求処理及び送信処理のファクシミリ通信手順を示すシーケンス図。
【図５】図１のファクシミリ通信システムの中継局と中継局及び中継局と中継依頼局との間の受信局情報の送信要求処理及び送信処理を示すフローチャート。
【図６】図５の中継局と中継局との間の受信局情報の送信要求処理のファクシミリ通信手順を示すシーケンス図。
【図７】図５の中継局と中継依頼局との間の受信局情報の送信処理のファクシミリ通信手順を示すシーケンス図。
【図８】図１のファクシミリ通信システムの中継依頼局と中継局との間の受信局情報の削除要求処理及び削除処理を示すフローチャート。
【符号の説明】
１  ファクシミリ通信システム
ＴＸ  中継依頼局
ＴＭ１、ＴＭ２  中継局
ＲＸ１〜ＲＸ４  受信局
１０  ファクシミリ装置
１１  システム制御部
１２  操作表示部
１３  スキャナ
１４  プロッタ
１５  メモリ
１６  画像メモリ
１７  符号化・復号化部
１８  通信制御部
１９  網制御部
２０  バス
【図１】
0003545096.tif 000002
【図２】
0003545096.tif 000003
【図３】
0003545096.tif 000004
【図４】
0003545096.tif 000005
【図５】
0003545096.tif 000006
【図６】
0003545096.tif 000007
【図７】
0003545096.tif 000008
【図８】
0003545096.tif 000009